(57)【特許請求の範囲】
【請求項１】
再生部と、制御部と、を備えるカラオケ装置であって、
前記再生部は、楽曲情報の再生を可能とし、
前記制御部は、第１処理と第２処理を含む再生キー決定処理と、再生処理を実行可能とし、
前記第１処理は、指定された楽曲について、最高音を含んだ所定区間を所定の現在音程キーにて前記再生部に再生させ、
前記第２処理は、入力部から挑戦キー決定指示が入力された場合、現在音程キーよりも一つ高い音程キーを再生音程キーとして決定し、前記入力部に入力がない場合、現在音程キーの音程を一つ低くして前記第１処理に移行し、
前記再生処理は、前記指定された楽曲に対応する楽曲情報を、前記再生キー決定処理で決定した再生音程キーで再生することを特徴とする
カラオケ装置。
【請求項２】
前記第２処理は、前記入力部から歌唱可能キー決定指示が入力された場合、現在音程キーを再生音程キーとして決定することを特徴とする
請求項１に記載のカラオケ装置。
【請求項３】
前記第２処理において、前記入力部に入力が無い場合において、現在音程キーが最低現在音程キーである場合、第３処理と第４処理を実行し、
前記第３処理は、指定された楽曲について、最低音を含んだ所定区間を所定の現在音程キーにて前記再生部に再生させ、
前記第４処理は、入力部から挑戦キー決定指示が入力された場合、現在音程キーよりも一つ低い音程キーを再生音程キーとして決定し、前記入力部に入力がない場合、現在音程キーの音程を一つ高くして前記第３処理に移行することを特徴とする
請求項１または請求項２に記載のカラオケ装置。
【請求項４】
指定された楽曲について、最高音を含んだ所定区間を所定の現在音程キーにて再生部に再生させる第１処理と、
入力部から挑戦キー決定指示が入力された場合、現在音程キーよりも一つ高い音程キーを再生音程キーとして決定し、前記入力部に入力がない場合、現在音程キーを一つ低くして前記第１処理に移行する第２処理と、を情報処理装置に実行させることを可能としたことを特徴とする
カラオケ用プログラム。
【発明の詳細な説明】
【技術分野】
【０００１】
本発明は、楽曲の自動演奏に合わせて歌唱を楽しむことのできるカラオケ装置に関する。特に、歌唱時の音程キーを決定することのできるカラオケ装置及びカラオケ用プログラムに関する。
【背景技術】
【０００２】
従来、自動演奏に合わせて歌唱を楽しむことのできるカラオケが社交の場等において行われている。カラオケを行うため楽曲の再生を行うカラオケ装置では、歌唱を補助するための各種機能が設けられている。歌唱補助機能の一つとして、音程キーの設定機能が知られている。カラオケを利用するユーザは、この機能を利用して、自分の歌唱可能な音域となるように音程キーを調整することで、無理なく歌唱を楽しむことが可能である。
【０００３】
このような音程キーの設定機能として、特許文献１には、楽曲の再生中、歌唱者の歌声の高さを検出し、検出した歌声の高さにあうように伴奏音のキーを変更する自動キーコントロール機能を備えた楽音発生装置が開示されている。
【０００４】
また、特許文献２には、カラオケ曲の演奏をスタートする前に、曲データのガイドメロディデータをスキャンして最高音と最低音を検出し、その間を歌唱音域として表示することが開示されている。その際、歌唱者のレパートリー曲や過去に歌った曲の歌唱音域を一緒に表示し、比較できるようにしている。このような機能により、歌唱するユーザは、カラオケ曲の歌唱音域が歌唱者にとってどの程度の高さ、低さ、広さであるかを把握し、事前に適切な音程キーに設定することが可能である。
【先行技術文献】
【特許文献】
【０００５】
【特許文献１】特開平１０−１６１６８１号公報
【特許文献２】特開２００４−２０５８１８号公報
【発明の概要】
【発明が解決しようとする課題】
【０００６】
特許文献１、特許文献２に開示するように、カラオケ装置における音程キーの設定については、自動でユーザの音域にあうように音程キーを設定する、あるいは、楽曲の歌唱音域に対する自己の歌唱音域をユーザに把握させることとするものである。
【０００７】
ところで、歌唱可能な音域は、練習を積み重ねることで拡大を図ることが可能である。歌唱の練習により歌唱できる最高音をより高くする、あるいは、歌唱できる最低音をより低くすることで、歌唱できる音域の拡大を図り、従前、歌唱できなかった楽曲であっても歌唱できるようになる。通常、このような練習は、発声練習などを行うことで、歌唱できる音域を徐々に拡大していくこととなる。
【０００８】
従来の音程キーの設定は、歌唱対象となる楽曲の音域が、現時点でユーザが歌唱可能な音域内となるように、すなわち、ユーザが歌唱できるように音程キーを設定するものであった。このような音程キーの設定手法では、ユーザは現在の音域で歌唱できるものの、歌唱できる最高音をより高くするなど音域の拡大を図ることはできなかった。そのため、いつまでも自己の音域内の音程キーに設定して歌唱することとなり、例えば、自己の最高音よりも高い最高音を有する楽曲のオリジナルキーで歌唱することは困難な状況にあった。本発明は、このようなカラオケにおける音程キーの設定について鑑みたものであり、ユーザが自分の音域（最高音もしくは最低音）よりも少し広い音域で練習を可能とするものであり、その結果、自己の音域の拡大を図ることを可能とするものである。
【課題を解決するための手段】
【０００９】
そのため、本発明に係るカラオケ装置は以下の構成を採用するものである。
再生部と、制御部と、を備えるカラオケ装置であって、
前記再生部は、楽曲情報の再生を可能とし、
前記制御部は、第１処理と第２処理を含む再生キー決定処理と、再生処理を実行可能とし、
前記第１処理は、指定された楽曲について、最高音を含んだ所定区間を所定の現在音程キーにて前記再生部に再生させ、
前記第２処理は、入力部から挑戦キー決定指示が入力された場合、現在音程キーよりも一つ高い音程キーを再生音程キーとして決定し、前記入力部に入力がない場合、現在音程キーの音程を一つ低くして前記第１処理に移行し、
前記再生処理は、前記指定された楽曲に対応する楽曲情報を、前記再生キー決定処理で決定した再生音程キーで再生することを特徴とする。
【００１０】
さらに本発明に係るカラオケ装置において、
前記第２処理は、前記入力部から歌唱可能キー決定指示が入力された場合、現在音程キーを再生音程キーとして決定することを特徴とする。
【００１１】
さらに本発明に係るカラオケ装置は、
前記第２処理において、前記入力部に入力が無い場合において、現在音程キーが最低現在音程キーである場合、第３処理と第４処理を実行し、
前記第３処理は、指定された楽曲について、最低音を含んだ所定区間を所定の現在音程キーにて前記再生部に再生させ、
前記第４処理は、入力部から挑戦キー決定指示が入力された場合、現在音程キーよりも一つ低い音程キーを再生音程キーとして決定し、前記入力部に入力がない場合、現在音程キーの音程を一つ高くして前記第３処理に移行することを特徴とする。
【００１２】
また本発明に係るカラオケ用プログラムは、
指定された楽曲について、最高音を含んだ所定区間を所定の現在音程キーにて再生部に再生させる第１処理と、
入力部から挑戦キー決定指示が入力された場合、現在音程キーよりも一つ高い音程キーを再生音程キーとして決定し、前記入力部に入力がない場合、現在音程キーを一つ低くして前記第１処理に移行する第２処理と、を情報処理装置に実行させることを可能としたことを特徴とする。
【発明の効果】
【００１３】
本発明に係るカラオケ装置によれば、ユーザは、指定された楽曲について最高音を含んだ所定区間を聴取し、再生された現在音程キーで歌唱できると判断した場合、挑戦キー決定指示を入力することで、現在音程キーよりも一つ上の音程キーを再生音程キーとして決定し、当該再生音程キーで指定された楽曲を再生することとしている。このような構成により、ユーザが歌唱できる最高音よりも一つ高い最高音を含んで楽曲を再生することとなり、ユーザに適切な音域拡大の練習を行うことを可能とする。
【００１４】
さらに本発明に係るカラオケ装置によれば、ユーザにより歌唱可能キー決定指示が入力された場合、現在キーを再生音程キーとして決定することで、ユーザは歌唱可能な音程キーで楽曲を無理なく歌唱することが可能となる。このカラオケ装置の構成では、ユーザは、歌唱できる最高音よりも一つ高い最高音を含んだ再生キーでの再生と、歌唱できる再生キーでの再生とを、選択することが可能である。
【００１５】
さらに本発明に係るカラオケ装置によれば、第３処理と第４処理を実行することで、ユーザは、最低音に関する音程キーの設定を行うことが可能である。最低音に関して音程キーを設定したいユーザは、現在音程キーが最低現在音程キーに達し、第３処理、第４処理が実行されるのを待つ。指定された楽曲について最低音を含んだ所定区間を聴取し、再生された現在音程キーで歌唱できると判断した場合、挑戦キー決定指示を入力することで、現在音程キーよりも一つ低い音程キーを再生音程キーとして決定し、当該再生音程キーで指定された楽曲を再生することとしている。このような構成により、ユーザが歌唱できる最低音よりも一つ低い最低音を含んで楽曲を再生することとなり、ユーザに適切な音域拡大の練習を行うことを可能とする。
【図面の簡単な説明】
【００１６】
【図１】本実施形態のカラオケシステムの構成を示す図
【図２】本実施形態の楽曲確認画面を示す図
【図３】本実施形態の音程キー設定子画面を示す図
【図４】本実施形態のカラオケ装置で使用する各種データ構成を示す図
【図５】本実施形態の楽曲再生処理を示すフロー図
【図６】本実施形態の再生キー決定処理を示すフロー図
【図７】本実施形態の再生キー決定処理を説明するための図
【図８】本実施形態の再生キー決定処理時のタッチパネルモニタを示す図
【図９】本実施形態の再生キー決定処理時のタッチパネルモニタを示す図
【図１０】本実施形態の再生キー決定処理時のタッチパネルモニタを示す図
【図１１】他の実施形態の再生キー決定処理を説明するための図
【図１２】他の実施形態の再生キー決定処理を説明するための図
【発明を実施するための形態】
【００１７】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１８】
カラオケボックスなどの店舗に設置されるカラオケ装置２は、楽曲を再生するための再生部としての音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのＨＤＤ３２（ハードディスク）を備える。カラオケ装置２は、ＬＡＮ１００に接続してネットワークに加入する通信手段としてのＬＡＮ通信部２４を備えている。
【００１９】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２０】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部２１、あるいは、リモコン装置１のタッチパネルモニタ１１等と同様、入力部として機能する。ユーザは、タッチパネルモニタ３３にて楽曲を選択することで、直接カラオケ装置２に予約をさせるなど、カラオケ装置２に対する各種操作を行うことが可能である。
【００２１】
さらに、カラオケ装置２は、各構成を統括して制御するためのＣＰＵ３０、各種プログラムを実行するにあたって必要となる情報を一時記憶するためのメモリ２７を備えて構成される。
【００２２】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２３】
楽曲演奏処理は、楽曲情報に含まれる演奏情報に基づき、音響制御部２５に演奏を実行させる処理である。音響制御部２５にて演奏された楽曲は、マイクロホン４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００２４】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続されたホスト装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００２５】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００２６】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２７】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００２８】
図２には、本実施形態の楽曲確認画面が示されている。本実施形態のカラオケシステムは、各リモコン装置１のタッチパネルモニタ１１から認証情報（ユーザＩＤやパスワード）を入力することで、ログインして使用することが可能となっている。特に、本実施形態のカラオケシステムでは、複数のユーザをログインさせることを可能としており、ログインしたユーザ（ログインユーザ）に関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００２９】
また、アカウントを有していないユーザのためのゲストアイコン１０２、ユーザを切り替えるためのユーザ切り替えスイッチ１０１が表示されている。ログインしたユーザは、ログインユーザ欄１０３に表示される分身像を選択、あるいは、ユーザ切り替えスイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切り替えの際には、パスワードなどを使用した認証を行うこととしてもよいが、認証を行うことなく簡易に切り替えることとしてもよい。
【００３０】
図２に示される楽曲確認画面は、リモコン装置１を使用して、歌手名や楽曲名の一部を使用して検索した複数の楽曲の中から１の楽曲を選択する等、歌唱候補となる１の楽曲を選択した際、タッチパネルモニタ１１上に表示される画面である。この楽曲確認画面にて選択した楽曲の詳細（楽曲名、歌手名、歌い出しなど）を表示し、予約を行う楽曲に間違いがないかユーザに確認させる。
【００３１】
予約する楽曲に間違いが無い場合、ユーザは楽曲確認画面に表示された予約ボタン１０４を操作して楽曲を予約する。この楽曲予約画面には、音程キーを設定するための音程キー設定表示欄１０５が表示されている。カラオケでは、自分の声域にあわせるように音程キーを設定することが可能である。指定する楽曲について、音程キーが予め分かっている場合、この音程キー設定表示欄１０５の右下に表示される変更ボタンを操作することで、音程キー設定子画面１０６を表示して、予約する楽曲に対し音程キーを設定することが可能である。
【００３２】
図３には、本実施形態の音程キー設定子画面１０６が示されている。この音程キー設定子画面１０６は、図２の楽曲確認画面中、音程キー設定表示欄１０５の右下に表示されている変更ボタンを操作したとき、楽曲確認画面上に表示される子画面である。ユーザはこの音程キー設定子画面１０６に表示されたキー選択ボタン群１０８を使用し、予約する楽曲について音程キーを設定することが可能である。本実施形態では、「−６」から「＋６」までの音程キーを選択することが可能である。図３の状態は、「０」（カラオケ用に設定された標準キー）が設定されている状態である。
【００３３】
本実施形態では、音程キー設定子画面１０６において、音程キー測定機能の使用について設定することが可能となっている。音程キー設定機能は、後述する再生キー決定処理で実現される機能であり、ユーザが予約した楽曲について歌唱する前に、予約した楽曲について、最高音を含んだ所定区間について、音程キーを変更して繰り返し再生し、自分の歌唱能力と比較して、再生に使用する音程キーを決定する機能である。この音程キー設定機能を使用する場合は、音程キー設定子画面１０６中に表示されたオンボタン１０７ａを操作して反転表示させる。図３の状態は、オフボタン１０７ｂが選択されている状態であり、オフボタン１０７ｂが反転表示されている。なお、音程キー測定機能がオン状態にあるとき、キー選択ボタン群１０８は、選択不可能な状態、あるいは、選択された音程キーは使用されない。
【００３４】
ここで、本実施形態で使用する各種情報のデータ構成について図４を使用して説明する。図４（Ａ）は、本実施形態で使用する楽曲情報のデータ構成を示したものである。楽曲情報は、楽曲情報に関連する各種情報であるメタ情報と、演奏等、各種処理を実行する実情報を含んで構成される。メタ情報には、楽曲情報を識別するための楽曲識別情報、曲名、歌手名、作詞者名、作曲者名、測定開始キー、測定終了キー、測定区間情報、原曲キーが含まれている。測定開始キーは、後述する再生キー設定処理において、現在キーの初期値となる音程キーである。測定終了キーは、後述する再生キー設定処理において、現在キーの最終値となる音程キーである。測定区間情報は、後述する再生キー設定処理において、再生する所定区間を示す情報である。本実施形態では、楽曲を指定したユーザが本楽曲をどの音程キーで歌唱できるかを確認するため、歌唱する最高音を含んだ箇所を含んで指定されている。再生キー設定処理では、この測定区間情報が指定する区間の演奏情報が繰り返し再生される。なお、本実施形態では、再生キー設定処理において、測定区間情報で指定する区間の演奏情報を再生することとしているが、再生キー設定処理のための演奏情報を別途、楽曲情報中に含ませて構成することとしてもよい。原曲キー（オリジナルキーとも呼ばれる）は、楽曲情報に対する歌手が歌唱するオリジナルの音程キーを規定した情報である。カラオケでは歌唱し易いように原曲キーから音程キー（標準キー）を調整することがある。カラオケ装置２では、ユーザに原曲キーを提示する、あるいは、演奏情報を原曲キーに変更することで、歌手が歌唱しているのと同じ音程キーでユーザに歌唱させることが可能である。
【００３５】
楽曲情報の実情報には、演奏情報、歌詞情報、歌唱基準情報が含まれている。演奏情報は、ＭＩＤＩ規格に基づいて電子楽器用の制御情報、あるいは、実際の演奏を録音した圧縮音声情報等で構成され、カラオケの伴奏音を演奏するための情報である。歌詞情報は、歌唱補助のため、演奏情報に同期して表示される情報であり、演奏に同期して表示された歌詞の色替えを行うように構成することも可能である。歌唱基準情報は、歌唱評価処理（採点処理）に使用される情報であり、歌唱の基準となる音高等を示す情報である。楽曲再生時、この歌唱基準情報を、マイクロホン４４ａ、４４ｂから入力される歌唱音声信号の音高と比較することで、ユーザの歌唱能力を評価することが可能である。
【００３６】
図２で説明したように、楽曲確認画面に表示された予約ボタン１０４を操作することで、楽曲の予約が確定し、確定した楽曲に関する予約情報が、リモコン装置１からカラオケ装置２に送信される。図４（Ｂ−１）、図４（Ｂ−２）は、どちらも予約情報のデータ構成を示した図であり、図４（Ｂ−１）は、通常時、すなわち、音程キー測定機能を使用しない場合の、また、図４（Ｂ−２）は、音程キー測定機能を使用する場合の予約情報について、そのデータ構成を示した図である。図４（Ｂ−１）に示される通常時の予約情報は、楽曲を識別するための楽曲識別情報と、予約したユーザを示すユーザ識別情報と、キー選択ボタン群１０８を使用して選択した再生音程キーを含んで構成されている。一方、図４（Ｂ−２）に示される音程キー測定機能を使用する場合、すなわち、図３の音程キー測定機能について、オンボタン１０７ａを操作した場合に形成される予約情報は、楽曲識別情報と、ユーザ識別情報の他、再生キー決定処理フラグを有して構成される。後述する楽曲再生処理では、予約情報中、再生キー決定処理フラグがある場合、楽曲を再生する前に再生キー設定処理を実行することとなる。
【００３７】
図５には、本実施形態の楽曲再生処理を示すフロー図が示されている。楽曲再生処理が開始されると、カラオケ装置２内のメモリ２７に記憶している予約テーブルを参照し、次に再生させる楽曲の有無が判定される（Ｓ１０１）。予約テーブル中、次に再生させる楽曲がある場合（Ｓ１０２：Ｙｅｓ）、次に再生する楽曲について、予約情報中に再生キー設定処理の指示があるか否か、本実施形態では、予約情報中に再生キー決定処理フラグを有しているか否かが確認される（Ｓ１０３）。予約情報中に再生キー設定処理の指示がある場合（Ｓ１０３：Ｙｅｓ）には、再生キー設定処理（Ｓ２００）を実行して再生キーを決定し、決定した再生キーを使用して楽曲再生を開始する（Ｓ１０４）。一方、通常の予約情報である場合（Ｓ１０３：Ｎｏ）には、予約情報に含まれる再生音程キーを使用して楽曲再生を開始する（Ｓ１０４）。楽曲の再生が終了した場合（Ｓ１０５：Ｙｅｓ）、楽曲再生処理の先頭に戻り、予約テーブル中、次に再生させる楽曲の有無を判定する。
【００３８】
図６は、本実施形態の再生キー決定処理を示すフロー図であり、図７は、本実施形態の再生キー決定処理を説明するための図である。図５の楽曲再生処理で説明したように、再生キー決定処理は、予約情報中に再生キー決定処理の指示がある場合、実行される処理である。再生キー決定処理では、自分の歌唱能力にあった、すなわち、自分の声域内で歌唱できる歌唱可能キーと、自分の歌唱能力を少し上回るキー（本実施形態では、自分が歌唱できる最高音よりも少し上の挑戦キー）を選択することが可能である。
【００３９】
再生キー決定処理が開始されると、まず、指定されている楽曲について、楽曲情報中のメタ情報に含まれる測定開始キーを読み出し、測定開始キーを現在キーに設定する（Ｓ２０１）。この測定開始キーは、楽曲情報中、メタ情報内に定義されている情報である。再生キー決定処理で最初に使用する現在キーは、このように楽曲情報に対応付けられたものを使用する形態の他、予め定められた音程キー、例えば、演奏情報から所定数の差を有する音程キーを使用する、あるいは、原曲キーから所定数の差を有する音程キーを使用するなど、適宜形態を採用することが可能である。
【００４０】
次に、楽曲情報のメタ情報中に規定される測定区間情報が示す所定区間について、現在キーで演奏情報を再生する（Ｓ２０２）。測定区間情報が示す所定区間は、楽曲の最高音が含まれているため、ユーザは、演奏情報の再生に合わせて歌唱してみることで、楽曲の最高音を歌唱できるか否かを確認することが可能となる。このとき、同所定区間について歌詞情報も併せて再生することが好ましい。再生された歌詞情報は、通常の楽曲再生と同様、モニタ４１に表示出力する、あるいは、カラオケ装置２のタッチパネルモニタ３３、あるいは、リモコン装置１のタッチパネルモニタ１１に表示出力することが考えられる。ユーザは表示される歌詞を参照しつつ歌唱を行うことで、測定区間情報が示す所定区間で最高音が出せるか否かを確認することが可能である。
【００４１】
測定区間情報が示す所定区間の再生中、カラオケ装置２では、ユーザによる一時停止操作の入力があったか否かを監視する（Ｓ２０３）。本実施形態では、カラオケ装置２のタッチパネルモニタ３３を使用して、歌唱するユーザからの一時停止操作を受付可能としている。図８には、測定区間情報が示す所定区間の再生中におけるカラオケ装置のタッチパネルモニタ３３の様子が示されている。タッチパネルモニタ３３には、現在、再生キー決定処理の対象となっている楽曲の歌手名、曲名の他、現在使用している現在キー３０１、及び、対原曲キー情報３０２、一時停止ボタン３０３が表示されている。対原曲キー情報は、現在キーと原曲キーの関係を示す内容であり、図８の表示例では、現在キー「＋２」が原曲キーであることを示している。対原曲キー情報は、このように現在キーが原曲キー一致している（差分が０）ときのみに表示してもよい。また、現在キーと原曲キーの差分を表示することとしてもよい。カラオケでは、原曲キーで歌唱を行うことを好むユーザがいる。このようなユーザに対して、原曲キーとの関係を示すことで、現在、自分の声域が歌手の声域に対してどのような関係にあるのかを把握させることが可能である。
【００４２】
一時停止ボタン３０３は、タッチパネルモニタ３３上の説明書きに示されるように、測定区間情報が示す所定区間の再生中、ユーザが現在キーで歌唱可能と判断した場合、操作する入力手段である。本実施形態では、カラオケ装置２のタッチパネルモニタ３３を一時停止操作の入力手段として使用しているが、リモコン装置１を使用する等、他の入力形態を採用することも可能である。測定区間情報が示す所定区間の再生中、一時停止ボタン３０３が操作さなかった場合（Ｓ２０３：Ｎｏ）、現在キーが測定終了キーであるか否かが判定される（Ｓ２０８）。本実施形態の測定終了キーは、測定開始キーと同様、楽曲情報のメタ情報内に規定されている情報である。測定終了キーは、このように楽曲情報に対応付けられたものを使用する形態の他、予め定められた音程キー、例えば、演奏情報から所定数の差を有する音程キーを使用する、あるいは、原曲キーから所定数の差を有する音程キーを使用するなど、適宜形態を採用することが可能である。
【００４３】
使用した現在キーが測定終了キーで無い場合（Ｓ２０８：Ｎｏ）、現在キーを１下げた上（Ｓ２０９）で、再度、同じ所定区間について再生を行う（Ｓ２０２）。なお、現在キーを１下げる際の量は、全音とする、半音とする、ｎ音とする等、適宜量とすることが可能である。図７には、再生キー決定処理における現在キーの変更の様子が示されている。図７中、横軸は、所定区間の再生回数であり、縦軸は、現在キーを示す数値である。この例では、測定開始キーが「＋４」に、測定終了キーが「−４」に設定されている。なお、この例では、原曲キーは「＋２」、標準キーは「０」である。一時停止ボタン３０３の操作が無いまま、再生キー決定処理が継続した場合、図７に示すように、所定区間を再生する毎に再生キーは、「＋４」から「−４」まで１ずつ下がっていく。すなわち、測定区間情報が示す所定区間に存在する楽曲の最高音も再生の度に下がることになる。
【００４４】
測定区間情報が示す所定区間の再生中、一時停止ボタン３０３が操作された場合（Ｓ２０３：Ｙｅｓ）には、所定区間の再生を中断し、音程キー選択画面を表示する（Ｓ２０４）。図９には、本実施形態の音程キー選択画面が示されている。本実施形態では、カラオケ装置２のタッチパネルモニタ３３に音程キー選択画面を表示させているが、音程キー選択画面は、リモコン装置１に表示させる等、各種形態を採用することが可能である。音程キー選択画面には、再生キー決定処理で対象となっている楽曲の歌手名、曲名の他、歌唱可能キー指示ボタン３０４、挑戦キー指示ボタン３０５、戻るボタン３０６が表示されている。歌唱可能キー指示ボタン３０４は、ユーザが歌唱可能な音定キーで歌唱することを指示するボタンであり、この歌唱可能キー指示ボタン３０４には、音程キー（この例では「−２」）が表記されている。図８で説明した所定区間の再生時に表示されるタッチパネルモニタ３３の説明書きにもあるように、ユーザは、所定区間の再生時、現在再生中の音程キーで歌唱できると判断した場合、一時停止ボタン３０３を操作する。したがって、歌唱可能キー指示ボタン３０４を操作した場合（Ｓ２０５：Ｎｏ）には、現在キーが、再生音程キーに設定され（Ｓ２０７）、一連の再生キー決定処理を終了し、楽曲再生処理に戻る。楽曲再生処理では、設定された再生音程キーを使用して、楽曲情報を再生開始する（Ｓ１０４）。
【００４５】
一方、挑戦キー指示ボタン３０５には、ユーザが歌唱できる音程キー（上述したように現在キーに相当）よりも１つ高い音程キーが、再生音程キー（再生音程キー＝現在キー＋１）に設定され（Ｓ２０６）、一連の生成キー決定処理を終了し、楽曲再生処理に戻る。したがって、楽曲再生処理では、ユーザが歌唱可能な音程キーよりも１つ高い音程キーで楽曲情報の再生が行われる（Ｓ１０４）。図７には、再生音程キーの設定例が示されている。図７のように、現在キーが「−２」の時点で、一時停止ボタン３０３が操作された場合を想定してみる。この場合、一時停止操作が行われた時点で再生に使用していた現在キー「−２」が、ユーザが歌唱可能な音程キー（歌唱可能キー）であり、それよりも１つ高い音程キー「−１」が、ユーザが現在の声域では歌唱できないと考えられる音程キー（挑戦キー）である。
【００４６】
このように、本実施形態では、楽曲を聴きながら音程キーが最も高い音程キーから最も低い音程キーへ下げる中で、ユーザが歌唱可能な音程キーよりも、１つ高い音程キーを選択可能とすることで、練習を重ねることで歌唱可能となる音程キーを容易に選択させることが可能である。練習を繰り返すことで、挑戦キーを歌唱可能となったユーザは、再度、再生キー決定処理を行うことで、次に高い音程キーに挑戦することとなり、徐々に自分の声域の拡大を図ることが可能である。例えば、原曲キーで楽曲を歌唱したいユーザについて、自己の声域が、楽曲の原曲キーと比較してかけ離れている場合、いきなり原曲キーで歌唱することには無理があり、練習半ばであきらめてしまうことが考えられる。本実施形態では、再生キー決定処理を利用した楽曲再生処理を繰り返し使用することで、自己の歌唱できる音程キーを次第に拡大し、最終的には自分の歌唱したい音程キー（例えば、原曲キー）で歌唱することも可能となる。
【００４７】
本実施形態の再生キー決定処理では、楽曲情報のメタ情報内で規定する測定開始キーから測定終了キーまで、再生キーを変更することとしている。所定区間の再生中、測定終了キーまで一時停止操作が行われないことが考えられる。本実施形態では、このような場合を想定し、ユーザが楽曲の再生に使用する再生音程キーを設定できる音程キー予備選択画面を用意している。再生キー決定処理中、現在キーが測定終了キーである場合（Ｓ２０８：Ｙｅｓ）、音程キー予備選択画面を表示して、ユーザに再生音程キーの設定を促す（Ｓ２１０）。図１０には、音程キー予備選択画面の表示例が示されている。本実施形態では、カラオケ装置２のタッチパネルモニタ３３に表示させる形態を採用しているが、再生キー決定処理で表示する他の画面と同様、モニタ４１、あるいは、リモコン装置１のタッチパネルモニタ１１を使用して表示することとしてもよい。
【００４８】
本実施形態の音程キー予備選択画面には、再生キー決定処理で対象となっている楽曲の歌手名、曲名の他、キー選択ボタン群３０７、原曲キー選択ボタン３０８、決定ボタン３０９、再実行ボタン３１０が表示されている。ユーザは、この音程キー予備選択画面を使用して、楽曲の再生に使用する再生音程キーを設定することが可能である。キー選択ボタン群３０７には、「−６」から「＋６」までの音程キーを選択可能なボタンが表示されている。図３に示す状態は、音程キーが「０」、すなわち、標準キーを選択している状態である。楽曲情報のメタ情報内には、原曲キーを示す情報が含まれている。音程キー予備選択画面では、この原曲キーを示す情報を使用して原曲キー選択ボタン３９８を表示させている。図３に示す楽曲の例では、「＋２」の音程キーが原曲キーとなっている。音程キー予備選択画面では、キー選択ボタン群３０７を使用せずに、原曲キー選択ボタン３０８を操作することで、直接、原曲キーを選択することも可能である。
【００４９】
キー選択ボタン群３０７、あるいは、原曲キー選択ボタン３０８を使用して音程キーを選択し、決定ボタン３０９を操作する（Ｓ２１２：Ｙｅｓ）ことで、再生する楽曲の再生音程キーが設定される（Ｓ２１３）。本実施形態では、測定終了キーまで一時停止を行わなかった場合、ユーザが再生音程キーを設定できるようにしているが、このようにユーザに選択させる形態に代え、業者側で定めた所定の音程キー（例えば、標準キーや原曲キーなど）を再生音程キーに設定する形態としてもよい。また、本実施形態の音程キー予備選択画面には、再実行ボタン３１０が設けられており、ユーザは、この再実行ボタン３１０を操作する（Ｓ２１１：Ｙｅｓ）ことで、再生キー決定処理の先頭に戻って、再度、再生キー決定処理を実行させることが可能となっている。
【００５０】
以上、本実施形態の再生キー決定処理について説明を行ったが、本実施形態のカラオケ装置２では、指定した楽曲の最高音を含んだ所定区間を、再生する毎に音程キー（現在キー）を変更して再生を行うこととしている。ユーザは、歌唱できる音程キーとなったときに一時停止することで、図９で説明した音程キー選択画面を表示させ、歌唱可能な音程キー、もしくは、歌唱可能な音程キーよりも１つ高い挑戦キーを選択することが可能となっている。本実施形態では、歌唱可能な音程キーと挑戦キーを選択できる形態としているが、歌唱可能な音程キーは、必ずしも選択可能とする必要は無く、挑戦キーのみ選択する形態であってもよい。その場合、一時停止することで、音程キー選択画面を表示することなく、現在キーよりも１つ高い挑戦キーで再生を開始する形態とすることも可能である。
【００５１】
以上説明した再生キー決定処理の実施形態は、楽曲中の最高音を含む所定区間を再生することで、ユーザが声域の高い側について歌唱の可否を確認する形態であったが、声域の低い側、すなわち、最低音を歌唱できるか否かを確認する形態としてもよい。図１１には、他の実施形態の再生キー決定処理を説明するための図が示されている。本実施形態では、楽曲の所定区間を再生する場合、最低音を含んだ所定区間を再生することとしている。この所定区間は、最高音の場合と同様、メタ情報内に測定区間情報として規定される。あるいは、再生キー決定処理を実行する際、歌唱する音程を示す歌唱基準情報を検索し、最低音を含む区間を決定してもよい。最高音を確認する形態では、所定区間を再生する毎に１つずつ、音程キーを低くしていったのに対し、最低音に基づいて歌唱可能か否かを確認する場合、所定区間を再生する毎に１つずつ、音程キーを高くしていく点で異なっている。本実施形態についても測定開始キー（図１１の例では「−４」）と測定終了キー（図１１の例では「＋４」）は、楽曲情報内に規定しておくことや、標準キーや原曲キーに基づいて決定することが可能である。
【００５２】
前実施形態の再生キー決定処理の場合と同様、ユーザは再生される所定区間にあわせて歌唱できる、すなわち、最低音を歌唱できると判断した場合、一時停止ボタンすることで、音程キー選択画面（図示せず）を表示させる。歌唱可能キー指示ボタンを操作した場合には、一時停止時に使用していた現在キーを再生音程キー（歌唱可能キー）として設定する。一方、挑戦キー指示ボタンを操作した場合には、一時停止時に使用していた現在キーよりも１つ低い音程キーを再生音程キー（挑戦キー）に設定する。図１１には、再生音程キーの設定例が示されている。図１１のように、現在キーが「＋２」の時点で、一時停止ボタン３０３が操作された場合を想定してみる。この場合、一時停止操作が行われた時点で再生に使用していた現在キー「＋２」が、ユーザが歌唱可能な音程キー（歌唱可能キー）であり、それよりも１つ低い音程キー「＋１」が、ユーザが現在の声域では歌唱できないと考えられる音程キー（挑戦キー）となる。
【００５３】
このように、本実施形態の再生キー決定処理では、声域の低い側、すなわち、最低音を歌唱できるか否かを確認し、挑戦キーあるいは歌唱可能キーを容易に設定することが可能である。本実施形態についても、前実施形態で説明したのと同様、挑戦キーのみを選択可能とする構成を採用してもよい。
【００５４】
図７で説明した、声域の高い側について歌唱可能か否かを確認する形態と、図１１で説明した、声域の低い側について歌唱か否かを確認する形態は、同じ楽曲についてユーザが選択できるようにしてもよい。あるいは、楽曲には高音を重視する楽曲と、低音を重視する楽曲があるため、楽曲毎にどちらか一方の形態の再生キー決定処理を決めておいてもよい。あるいは、１回の再生キー決定処理において、声域の高い側について歌唱か否かを確認する形態と、声域の低い側について歌唱か否かを確認する形態を併せて実行することとしてもよい。
【００５５】
図１２には、他の実施形態の再生キー決定処理を説明するための図が示されている。本実施形態では、まず、声域の高い側について歌唱か否かを確認し、ユーザによる操作入力が無い場合、引き続き、声域の低い側について歌唱か否かを確認することとしている。図１２の例では、１回目〜６回目までが声域の高い側について歌唱可能か否かを確認する処理であり、７回目〜１２回目までが声域の高い側について歌唱可能か否かを確認する処理となっている。第１の所定区間の測定開始キー「＋４」、測定終了キー「−１」、第２の所定区間の測定開始キー「−４」、測定終了キー「＋１」は、楽曲情報中のメタ情報に規定しておく、あるいは、楽曲情報の標準キーや原曲キーに基づいて決定することが可能である。
【００５６】
声域の高い側について確認を行う場合（１回目〜６回目）には、楽曲中の最高音を含んだ所定区間（第１の所定区間）について再生を行う。その際、回を追う毎に現在キーを１つずつ低くしていく。一方、声域の低い側について確認を行う場合（７回目〜１２回目）には、楽曲中の最低音を含んだ所定区間（第２の所定区間）について再生を行う。その際、回を追う毎に現在キーを１つずつ高くしていく。声域の高い側について確認したいユーザは、１回目〜６回目の再生中、歌唱可能と判断した場合、一時停止させる等の入力を行うことで再生音程キーを決定する。一方、声域の低い側について歌唱可能か否かを確認したいユーザは、１回目〜６回目までの再生中、入力することなく待ち、７回目以降の再生中、歌唱可能と判断した場合、一時停止させる等の入力を行うことで再生音程キーの決定を行う。なお、このように２つの確認を一度に行う場合、再生キー決定処理では、ユーザに対して、現在どちらの声域について確認を行っているかを確認できるようにタッチパネルモニタ３３等の表示部に表示を行うことが好ましい。
【００５７】
以上説明したように、図１２の実施形態の再生キー決定処理では、声域の高い側についての確認と声域の低い側についての確認を、１の処理中に行うことを可能としている。本実施形態では、声域の高い側についての確認に引き続いて、声域の低い側の確認を行うこととしているが、その順番は逆であってもよい。
【００５８】
以上、本発明の再生キー決定処理を実行可能なカラオケ装置について、各種実施形態を説明したが、本発明の再生キー決定処理は、カラオケ装置のみならず、パーソナルコンピュータやスマートホン等の情報処理装置で実行可能なカラオケ用プログラムとして提供することも可能である。その際、カラオケ装置２の場合のように、再生キー決定処理で決定した再生音程キーで楽曲を再生することは必ずしも必要なく、ユーザに対して挑戦キー、歌唱可能キーを通知するだけであってもよい。ユーザは、ある楽曲をカラオケ装置２で再生させる際、情報処理装置から通知された挑戦キーあるいは歌唱可能キーを設定することで、自分の声域を多少上回る再生音程キー（挑戦キー設定時）、あるいは、歌唱可能な再生音程キー（歌唱可能キー設定時）で歌唱を行うことが可能である。
【符号の説明】
【００５９】
１…リモコン装置                  ２４…ＬＡＮ通信部
１１…タッチパネルモニタ          ２５…音響制御部
１１ａ…表示部                    ２７…メモリ
１１ｂ…タッチパネル              ２８…ビデオＲＡＭ
１２…ビデオＲＡＭ                ２９…映像再生部
１３…映像制御部                  ３０…ＣＰＵ
１４…メモリ                      ３１…映像制御部
１５…ＣＰＵ                      ３２…ＨＤＤ（ハードディスク）
１６…無線ＬＡＮ通信部            ４１…モニタ
１７…操作部                      ４２…スピーカ
１８…操作処理部                  ４４ａ、４４ｂ…マイクロホン
１９…赤外線通信部                ５…サーバ装置
２…カラオケ装置（コマンダ）      ５１…記憶装置
２１…操作部                      １００…ＬＡＮ
２２…操作処理部                  １１０…アクセスポイント
２３…赤外線通信部
【図１】
0006394366.tif 000002
【図２】
0006394366.tif 000003
【図３】
0006394366.tif 000004
【図４】
0006394366.tif 000005
【図５】
0006394366.tif 000006
【図６】
0006394366.tif 000007
【図７】
0006394366.tif 000008
【図８】
0006394366.tif 000009
【図９】
0006394366.tif 000010
【図１０】
0006394366.tif 000011
【図１１】
0006394366.tif 000012
【図１２】
0006394366.tif 000013